(57)【要約】【課題】内容物の充填時にスリーブの外表面が傷付き難く、美感の低下を低減できる複合容器を提供する。【解決手段】軟質樹脂フィルムにより形成した上端を開口する袋本体１１の上部に一対のチャック部材１２を対向配置したチャック付き袋１０と、前面部２０ａと背面部２０ｂと両側端の折罫２３とを有して厚紙により形成されるとともにチャック付き袋１０を挿通した筒状のスリーブ２０と、を備え、スリーブ２０を接着部３０によりチャック付き袋１０に接着した複合容器１において、前面部２０ａ及び背面部２０ｂが両側端から切り欠いて袋本体１１が露出する切欠き部２８を有し、接着部３０がチャック部材１２上またはチャック部材１２よりも上方に配され、切欠き部２８の折罫２３上から延びる下辺がチャック部材１２よりも下方に配される。【選択図】図１
2020007033.tif 000002
【特許請求の範囲】
【請求項１】
軟質樹脂フィルムにより形成した上端を開口する袋本体の上部に一対のチャック部材を対向配置したチャック付き袋と、
前面部と背面部と両側端の折罫とを有して厚紙により形成されるとともに前記チャック付き袋を挿通した筒状のスリーブと、を備え、
前記スリーブを接着部により前記チャック付き袋に接着した複合容器において、
前記前面部及び前記背面部が両側端から切り欠いて前記袋本体が露出する切欠き部を有し、前記接着部が前記チャック部材上または前記チャック部材よりも上方に配され、
前記切欠き部の前記折罫上から延びる下辺が前記チャック部材よりも下方に配されることを特徴とする複合容器。
【請求項２】
前記チャック部材が前記袋本体に固着された左右に延びる帯状の基台部を有し、
前記切欠き部の前記下辺が前記基台部の下端よりも下方に配されることを特徴とする請求項１に記載の複合容器。
【請求項３】
前記基台部の下端と前記切欠き部の下端との距離を２０ｍｍ以上にしたことを特徴とする請求項２に記載の複合容器。
【請求項４】
前記切欠き部の側辺が前記折罫に略平行に形成されることを特徴とする請求項１〜請求項３のいずれかに記載の複合容器。
【請求項５】
前記切欠き部の上端が開放されることを特徴とする請求項１〜請求項４のいずれかに記載の複合容器。
【請求項６】
前記切欠き部が前記折罫上から延びる上辺を有することを特徴とする請求項１〜請求項４のいずれかに記載の複合容器。
【発明の詳細な説明】
【技術分野】
【０００１】
本発明は、粉体や粒体の内容物を収納するチャック付き袋を有した複合容器に関する。
【背景技術】
【０００２】
食品等の粉体や粒体の内容物を収納するチャック付き袋を有した複合容器は特許文献１に開示される。この複合容器はチャック付き袋とスリーブとを備える。チャック付き袋は袋本体及びチャック部材を有する。袋本体は軟質樹脂フィルムにより形成され、上端を開口する。チャック部材は袋本体の上端部の内面に対向配置される。チャック付き袋はチャック部材の嵌合によって密封される。
【０００３】
スリーブは厚紙によりチャック付き袋を挿通する筒状に形成される。スリーブの前面部及び背面部は接着剤によりチャック付き袋と接着される。接着剤はチャック付き袋の外面のチャック部材の近傍に塗布されている。
【０００４】
複合容器のスリーブの左右両側端において、チャック部材よりも下方をそれぞれ内側に押圧すると、前面部及び背面部の中央の折り線で山折りされる。これにより、チャック付き袋の接着されている部分が前面部及び背面部に引っ張られて上端の開口が開かれるとともに、チャック部材の嵌合が解除される。従って、チャック付き袋を片手で開き、複合容器を傾けて開口を下方に向けることで、収納物を取出すことができる。
【０００５】
また、チャック付き袋に収容物を充填する際に、スリーブの左右端上部をそれぞれ一対のグリッパーにより摘持し、左右のグリッパーが互いに接近する方向に移動させる。これにより、チャック付き袋の上端が開口し、ノズルを開口から挿入してチャック付き袋の内部に収納物を充填する。
【先行技術文献】
【特許文献】
【０００６】
【特許文献１】特開２０１３−２１２８７９号公報
【発明の概要】
【発明が解決しようとする課題】
【０００７】
しかしながら、上記従来のチャック付き袋によると、内容物の充填時にスリーブの左右端をそれぞれグリッパーで摘持したときにスリーブの外表面が傷付いて、複合容器の美感が低下する問題があった。
【０００８】
本発明は、スリーブの外表面の傷を防止して美感を向上できる複合容器を提供することを目的とする。
【課題を解決するための手段】
【０００９】
上記目的を達成するために本発明は、軟質樹脂フィルムにより形成した上端を開口する袋本体の上部に一対のチャック部材を対向配置したチャック付き袋と、前面部と背面部と両側端の折罫とを有して厚紙により形成されるとともに前記チャック付き袋を挿通した筒状のスリーブと、を備え、前記スリーブを接着部により前記チャック付き袋に接着した複合容器において、前記前面部及び前記背面部が両側端から切り欠いて前記袋本体が露出する切欠き部を有し、前記接着部が前記チャック部材上または前記チャック部材よりも上方に配され、前記切欠き部の前記折罫上から延びる下辺が前記チャック部材よりも下方に配されることを特徴としている。
【００１０】
この構成によると、軟質樹脂フィルムの袋本体の上端の内面に一対のチャック部材が対向配置される。スリーブは厚紙により形成され、チャック付き袋が挿通される。袋本体の左右端上部は切欠き部を介してスリーブから露出する。チャック付き袋に収容物を充填する際に、袋本体の上端を上向きにしてスリーブから露出する袋本体の左右端上部をそれぞれ一対のグリッパーで摘持し、左右のグリッパーを互いに接近する方向に移動させる。このとき、切欠き部の側辺における前面部及び背面部の側端面がグリッパーの先端部と当接して押圧される。また、切欠き部の下辺がチャック部材よりも下方に配されており、前面部及び背面部の側端面とグリッパーの先端部との当接位置がチャック部材よりも下方に配される。これにより、チャック部材よりも下方から前面部及び背面部の側端面がグリッパーの先端部によって押圧され、厚紙により形成されるスリーブは剛性が高いため前面部及び背面部が外側に凸状に容易に変形してチャック付き袋が大きく開口する。
【００１１】
また本発明は、上記構成の複合容器において、前記チャック部材が前記袋本体に固着された左右に延びる帯状の基台部を有し、前記切欠き部の前記下辺が前記基台部の下端よりも下方に配されることを特徴としている。この構成によると、切欠き部における前面部及び背面部の側端面とグリッパーの先端部との当接位置がチャック部材の基台部よりも下方に配される。これにより、基台部よりも下方からスリーブの前面部及び背面部の側端面をグリッパーの先端部で押圧することにより、前面部及び背面部が外側に凸状により容易に変形する。
【００１２】
また本発明は、上記構成の複合容器において、前記基台部の下端と前記切欠き部の下端との距離を２０ｍｍ以上にしたことを特徴としている。
【００１３】
また本発明は、上記構成の複合容器において、前記切欠き部の側辺が前記折罫に略平行に形成されることを特徴としている。
【００１４】
また本発明は、上記構成の複合容器において、前記切欠き部の上端が開放されることを特徴としている。
【００１５】
また本発明は、上記構成の複合容器において、前記切欠き部が前記折罫上から延びる上辺を有することを特徴としている。
【発明の効果】
【００１６】
本発明によると、グリッパーでスリーブの外表面を摘持することなく、グリッパーの先端部で切欠き部の側辺を押圧してチャック付き袋を開口することができる。従って、内容物の充填時にスリーブの外表面の傷を防止することができ、複合容器の美感を向上することができる。
【図面の簡単な説明】
【００１７】
【図１】本発明の第１実施形態の複合容器を示す正面図
【図２】本発明の第１実施形態の複合容器の開封後の状態を示す斜視図
【図３】本発明の第１実施形態の複合容器を示す上面断面図
【図４】本発明の第１実施形態の複合容器のチャック部材を示す縦断面図
【図５】本発明の第１実施形態の複合容器のスリーブを示す展開図
【図６】本発明の第１実施形態の複合容器の内容物充填時の状態を示す斜視図
【図７】本発明の第１実施形態の複合容器の内容物充填時の状態を示す上面断面図
【図８】本発明の第２実施形態の複合容器を示す正面図
【発明を実施するための形態】
【００１８】
＜第１実施形態＞
以下に図面を参照して本発明の実施形態を説明する。図１は第１実施形態の複合容器の正面図を示している。複合容器１はチャック付き袋１０を筒状のスリーブ２０に挿通して形成され、使用者の片手の掌に入るようにスリーブ２０の横幅が６０〜１３５ｍｍに形成される。
【００１９】
チャック付き袋１０は軟質樹脂フィルムにより形成される袋本体１１と、袋本体１１の内面に熱接着される対向配置した一対のチャック部材１２とを有している。チャック付き袋１０内にはガムやグミ等の菓子、ふりかけ等の粉末や顆粒状の調味料、錠剤や顆粒状の健康食品等の粉体や粒状の内容物が密閉して収納される。
【００２０】
袋本体１１は周囲の四辺を熱接着部１０ｂにより熱接着して形成される。袋本体１１の両側端及び下端の一辺を折曲し、三辺を熱接着部１０ｂにより熱接着してもよい。チャック付き袋１０の上端部の両側縁には上端の熱接着部１０ｂを切り取る開封用の一対のノッチ３１が設けられている。
【００２１】
図２は開封後の複合容器１の斜視図を示しており、図３は接着部３０上を通る上面断面図を示している。ノッチ３１はチャック部材１２よりも上方に配され、喫食等の際にはノッチ３１を横方向に破断して切り取り、開口部１０ａが形成される。そして、開口部１０ａに沿って左右方向に延びて配されるチャック部材１２の係脱によって開口部１０ａが開閉される。
【００２２】
なお、袋本体１１の上端を熱接着せずに、開口部１０ａを有して使用者による切り取りが不要なチャック付き袋１０にしてもよい。また、ノッチ３１はスリーブ２０の上辺の延長線上に配してもよい。これにより、チャック付き袋１０をスリーブ２０の上辺に沿って容易に直線状に切り取って開封することができる。
【００２３】
スリーブ２０には詳細を後述するように折り曲げと折り戻しとを繰り返される複数の折り線２１、２３が設けられる。このため、スリーブ２０は折り線２１、２３以外の部分で折曲されないように、坪量が２６０〜４５０ｇ／ｍ2の厚紙により形成される。スリーブ２０はチャック部材１２上及びチャック部材１２の下方で折り線２１に対して左右方向にずれて接着部３０によりチャック付き袋１０に接着される。
【００２４】
スリーブ２０の上端はチャック付き袋１０の上端とチャック部材１２との間に配される。なお、スリーブ２０の上端をチャック部材１２の下方に配してもよい。また、スリーブ２０の下端はチャック付き袋１０の下端よりも下方に配される。
【００２５】
また、スリーブ２０の両側端上部には詳細を後述する切欠き部２８が設けられ、切欠き部２８を介してチャック付き袋１０の両側端上部が露出している。
【００２６】
図４はチャック部材１２の縦断面図を示している。一対のチャック部材１２は対向する雄部１３と雌部１４とにより形成される。雄部１３は支持部１３ａと係合部１３ｂと基台部１３ｄとを有する。基台部１３ｄは左右に延びる帯状に形成され、袋本体１１の内面に固着される。支持部１３ａは基台部１３ｄから袋本体１１の内面に突設される。係合部１３ｂは支持部１３ａの先端に設けられる。係合部１３ｂは支持部１３ａから上下方向に突出する係合面１３ｃを有し、係合面１３ｃは袋本体１１に面して形成される。
【００２７】
雌部１４は支持部１４ａと凹部１４ｂと爪部１４ｃと基台部１４ｄとを有する。基台部１４ｄは左右に延びる帯状に形成され、袋本体１１の内面に固着される。支持部１４ａは基台部１４ｄから袋本体１１の内面に突設される。凹部１４ｂは支持部１４ａの先端に設けられ、係合部１３ｂが嵌合する。爪部１４ｃは凹部１４ｂの先端に設けられ、凹部１４ｂの上下端から互いに接近する方向に突出する。爪部１４ｃは雄部１３の係合面１３ｃに係合する。
【００２８】
係合部１３ｂが凹部１４ｂに嵌合して爪部１４ｃが係合面１３ｃに係合することにより、チャック部材１２によってチャック付き袋１０が密封される。また、雄部１３と雌部１４とが離れる方向に加重されると爪部１４ｃが係合面１３ｃ上を摺動して爪部１４ｃと係合面１３ｃとの係合が解除される。これにより、チャック付き袋１０の開口部１０ａが開かれる。係合面１３ｃ及び爪部１４ｃの傾斜角度や係合面１３ｃの長さによってチャック部材１２を所望の嵌合強度に形成することができる。
【００２９】
図５はスリーブ２０の展開図を示している。スリーブ２０は折り線２３で隣接する前面部２０ａと背面部２０ｂとを有している。背面部２０ｂは前面部２０ａの両側方に分割され、一端に折り線２１を介して隣接する糊代２０ｃ上に塗布した接着剤２９により接着される。これにより、スリーブ２０が折り線２３を両側端の折罫として筒状に形成される。
【００３０】
前面部２０ａ及び背面部２０ｂの左右方向の中央には縦方向に延びて外側に山折りされる折り線２１（中央折り線）が設けられる。折り線２１はリード罫又はミシン目により形成される。折り線２１の切れ目によって厚紙から成るスリーブ２０の一部が貫通する。このため、折り線２１上に接着剤を塗布して接着部３０を形成すると、貼り合せ時に切れ目から接着剤が漏れる危険がある。従って、前面部２０ａとチャック付き袋１０とを接着する接着部３０は折り線２１の近傍で前方から見て左側にずれて配置される。また、背面部２０ｂとチャック付き袋１０とを接着する接着部３０は折り線２１の近傍で前方から見て右側にずれて配置される。
【００３１】
本実施形態では、前面部２０ａとチャック付き袋１０とを接着する接着部３０は折り線２１から３ｍｍ〜６ｍｍ離れた位置に設けられる。背面部２０ｂとチャック付き袋１０とを接着する接着部３０は糊代２０ｃ上の接着剤２９から確実に離すため、折り線２１から４ｍｍ〜７．５ｍｍ離れた位置に設けられる。それぞれの接着部３０はチャック部材１２上から下方に５ｍｍ以上の長さで形成される。なお、接着部３０はチャック部材１２上に少なくとも一部が配されていればよい。
【００３２】
前面部２０ａ及び背面部２０ｂの両側端には上端部に一対の切欠き部２８が設けられる。切欠き部２８は上端が開放され、下辺２８ａ及び一対の側辺２８ｂを有する。下辺２８ａは折り線２３の上端から左右方向に延び、折り線２３から離れるに従って上方に向くように傾斜して形成される。
【００３３】
また、下辺２８ａはチャック部材１２よりも下方に配され、下辺２８ａの下端が基台部１３ｄ、１４ｄから２０ｍｍ以上離れた位置に配される。
【００３４】
側辺２８ｂはスリーブ２０の前面部２０ａの左右の端部及び背面部２０ｂの左右の端部にそれぞれ配される。側辺２８ｂは下辺２８ａの上端からそれぞれ上方に延び、折り線２３に略平行に形成される。また、側辺２８ｂの上端には面取り２８ｃが形成される。
【００３５】
前面部２０ａ及び背面部２０ｂの両側端には下端部に一対の傾斜部３４が設けられる。傾斜部３４はＶ字状に切り欠かれ、折り線２３から離れるに従って下方に向くように傾斜する。
【００３６】
図６、図７は複合容器１に内容物を充填する時の状態を示す斜視図及び上面断面図である。内容物の充填時において、チャック部材１２の嵌合は解除された状態にあり、切欠き部２８から露出する袋本体１１の左右端をそれぞれ保持装置４０に設けた一対のグリッパー４１よって摘持する。この時、切欠き部２８の下辺２８ａがチャック部材１２よりも下方に配されるため、グリッパー４１によりチャック部材１２の下方を容易に摘持することができる。
【００３７】
袋本体１１を摘持した左右のグリッパー４１は矢印Ｄに示すように互いに接近する方向に移動する。このとき、前面部２０ａ及び背面部２０ｂの側端面を形成する切欠き部２８の側辺２８ｂがグリッパー４１の先端部４１ａと当接して押圧される。また、切欠き部２８の下辺２８ａがチャック部材１２よりも下方に配されており、切欠き部２８の側辺２８ｂとグリッパー４１の先端部４１ａとの当接位置がチャック部材１２よりも下方に配される。
【００３８】
これにより、チャック部材１２よりも下方から前面部２０ａ及び背面部２０ｂの側端面がグリッパー４１の先端部４１ａによって押圧される。厚紙により形成されるスリーブ２０は剛性が高いため、前面部２０ａ及び背面部２０ｂが外側に凸状に容易に変形してチャック付き袋１０が大きく開口する。
【００３９】
従って、グリッパー４１でスリーブ２０の外表面を摘持することなく、グリッパー４１の先端部４１ａで切欠き部２８の側辺２８ｂを押圧してチャック付き袋１０を開口することができる。これにより、内容物の充填時にスリーブ２０の外表面の傷を防止することができる。
【００４０】
この時、切欠き部２８の側辺２８ｂが折り線２３に略平行に形成されるため、先端部４１ａが広い範囲で側辺２８ｂに接触する。このため、チャック付き袋１０を容易に開口することができる。
【００４１】
また、前面部２０ａ及び背面部２０ｂは左右方向の中央部を通る折り線２１を有し、スリーブ２０の両側端の押圧時に折り線２１が外側に山折りされる。このため、グリッパー４１の押圧力をより小さくしてチャック付き袋１０を容易に開口することができる。これにより、前面部２０ａ及び背面部２０ｂの側端面と先端部４１ａとの当接位置に掛かる押圧力を小さくして側端面の傷をより防止することができる。
【００４２】
開口したチャック付き袋１０には上方からノズルを挿入して内容物が充填される。内容物が充填されたチャック付き袋１０はチャック部材１２が閉じられ、上端部が熱溶着される。これにより、内容物を収納して密封された複合容器１が得られる。
【００４３】
上記構成の複合容器１において、喫食等の際にノッチ３１を横方向に破断して切り取り、チャック付き袋１０の上端部を切断する。
【００４４】
そして、チャック付き袋１０がチャック部材１２により密封された複合容器１の下部を使用者の掌で把持し、スリーブ２０の両側端にそれぞれ手指（例えば、親指と人差し指）が配される。両側端の手指が接近するようにスリーブ２０の両側端を押圧すると、厚紙により形成されるスリーブ２０は剛性が高いため折り線２１で山折りされる。
【００４５】
この時、前面部２０ａとチャック付き袋１０とを接着する接着部３０が折り線２１の近傍で左右方向の一方にずれて配置される。また、背面部２０ｂとチャック付き袋１０とを接着する接着部３０が折り線２１の近傍で左右方向の他方にずれて配置される。このため、チャック部材１２の前後面が左右でずれる方向に力が働いて左右の折り線２３が近づき、中央の折り線２１が山折りされる。さらに、接着部３０はチャック部材１２上に配されているため、チャック部材１２の嵌合が下方から容易に解除され、片手でチャック付き袋１０の開口部１０ａを開封することができる。
【００４６】
また、スリーブ２０の両側端上部には切欠き部２８が配されるため、使用者は切欠き部２８を避けてスリーブ２０の下部を把持するように誘導される。スリーブ２０の下部はチャック部材１２が係合状態にあるスリーブ２０の上部よりも前面部２０ａ及び背面部２０ｂを中央の折り線２１に沿って容易に山折りすることができる。このため、前面部２０ａ及び背面部２０ｂをより小さな力で山折りすることができ、チャック部材１２の係合をより容易に解除することができる。
【００４７】
本実施形態によると、スリーブ２０の前面部２０ａ及び背面部２０ｂが両側端から切り欠いて袋本体１１が露出する切欠き部２８を有し、切欠き部２８の下辺２８ａがチャック部材１２よりも下方に配される。これにより、グリッパー４１でスリーブ２０の外表面を摘持することなく、グリッパー４１の先端部４１ａで切欠き部２８の側辺２８ａを押圧してチャック付き袋１０を開口することができる。従って、内容物の充填時にスリーブ２０の外表面の傷を防止することができ、複合容器１の美感を向上することができる。
【００４８】
また、切欠き部２８の下辺２８ａが基台部１３ｄ、１４ｄの下端よりも下方に配され、下辺２８ａの下端が基台部１３ｄ、１４ｄから２０ｍｍ以上離れた位置に配される。これにより、グリップ４１により袋本体１１のチャック部材１２よりも下方を確実に摘持させることができ、袋本体１１をより確実に開口させることができる。
【００４９】
また、切欠き部２８の側辺２８ｂが折り線２３に略平行に形成されるので、グリッパー４１の先端部４１ａが広い範囲で側辺２８ｂに接触する。このため、チャック付き袋１０を容易に開口することができる。
【００５０】
＜第２実施形態＞
次に、図８は第２実施形態の複合容器１の正面図を示している。説明の便宜上、前述の図１〜図７に示す第１実施形態と同様の部分には同一の符号を付している。本実施形態は第１実施形態に対して切欠き部２８が折罫２３上から延びる上辺２８ｄを有する。その他の部分は第１実施形態と同様である。
【００５１】
切欠き部２８は上端が開放されておらず、上辺２８ｄ、下辺２８ａ及び一対の側辺２８ｂを有する。これにより、スリーブ２０の前面部２０ａ及び背面部２０ｂは切欠き部２８よりも上方で両側端の折り線２３を介して連設される。上辺２８ｄは折り線２３から左右方向に延びて側辺２８ｂの上端に連結され、折り線２３から離れるに従って下方に向くように傾斜して形成される。
【００５２】
切欠き部２８が折り線２３から延びる上辺２８ｃを有し、前面部２０ａ及び背面部２０ｂが切欠き部２８よりも上方で連設されるため、前面部２０ａ及び背面部２０ｂの上端部の強度を向上することができる。従って、前面部２０ａ及び背面部２０ｂの両側端の上端部が外側に湾曲することによる複合容器１の美感の低下を防止することができる。
【産業上の利用可能性】
【００５３】
本発明によると、食品等の粉体や粒体の内容物を収納するチャック付き袋を有した複合容器に利用することができる。
【符号の説明】
【００５４】
１      複合容器
１０      チャック付き袋
１０ａ    開口部
１０ｂ    熱接着部
１１      袋本体
１２      チャック部材
１３      雄部
１３ａ    支持部
１３ｂ    係合部
１３ｃ    係合面
１３ｄ    基台部
１４      雌部
１４ａ    支持部
１４ｂ    凹部
１４ｃ    爪部
１４ｄ    基台部
２０      スリーブ
２０ａ    前面部
２０ｂ    背面部
２０ｃ    糊代
２１      折り線
２３      折り線（折罫）
２８      切欠き部
２８ａ    下辺
２８ｂ    側辺
２８ｃ    上端部
２８ｄ    上辺
２９      接着剤
３０      接着部
３１      ノッチ
３４      傾斜部
４０      保持装置
４１      グリッパー
４１ａ    先端部
Ｄ      矢印
【図１】
2020007033.tif 000003
【図２】
2020007033.tif 000004
【図３】
2020007033.tif 000005
【図４】
2020007033.tif 000006
【図５】
2020007033.tif 000007
【図６】
2020007033.tif 000008
【図７】
2020007033.tif 000009
【図８】
2020007033.tif 000010